(57)【要約】 【課題】  本発明は、厚手の縫製素材即ちパラシュート用の布部材やテント用の布部材であるテント生地や帆布等あるいは皮革製品等の厚手の縫製素材に用いることのできるミシンであって、一度に４つの縫い目を構成でき、更に厚手素材ゆえに縫製素材の縫製時の布の送りを確実かつ容易にすると共に、効率的にかつ確実な縫い目を作ることのできる縫製のしっかりしたミシンの提供を課題とする。【解決手段】  係る課題を解決するため、４本の針と４つのカマを有する本縫いのミシンであって、それぞれカマの内側接線よりも内側方向に針を配置し、針が下がるに伴って中押えが下がり送り歯が上がって縫製物を圧接しつつ縫製物に縫い目を入れることができ、又送り出し方向に協同で移動することにより縫製物の送りのできるミシンによって解決できる。
2006123401.tif 000002
【特許請求の範囲】
【請求項１】
縫製物の送り込み方向に送り方向と直角方向に平行に２つのカマ２１ａを配置すると共に、縫製物の送り出し方向に送り方向と直角方向に平行に２つのカマ２１ｂを配置し、
該それぞれ平行な２つのカマ２１の内側接線よりも内側方向にそれぞれのカマに対応する針３２が位置すると共に、４本の針３２が一の針株に配設されている４本の針３２と４つのカマ２１を有する本縫いのミシンであって、
中押え棒を介して可動する中押え４１と、押え棒を介して可動する外押え５１と、ベッド１０内に設けた可動する送り歯６１とを有し、針３２が下がることに伴って中押え４１が下がると共に送り歯６１が上がり縫製物を中押え４１と送り歯６１とで圧接しつつ縫製物に縫い目を入れると共に、送り出し方向に協同で移動することにより縫製物の送りを行うことを特徴とする本縫いのミシン。
【請求項２】
縫製物の送り出し方向に配設した平行な２つのカマ２１ｂ間の間隔の間の距離内に、縫製物の送り込み方向の平行な２つのカマ２１ａが位置するものであると共に、
送り出し方向の２つのカマ２１ｂと、送り込み方向の２つのカマ２１ａとの縫製物の送り方向の間隔が少なくとも縫い目の一ピッチ以上の距離を有しているものであることを特徴とする請求項１記載の本縫いのミシン。
【請求項３】
送り出し方向への協同での移動が、縫い目の一ピッチ程度の距離であることを特徴とする請求項１又は2のいずれかに記載の本縫いのミシン。
【請求項４】
略２倍以上の大きさのボビンを収納可能な大カマを用いたことを特徴とする請求項１又は2のいずれかに記載の本縫いのミシン。
【請求項５】
カマ位置が針幅調整可能なカマ土台調整式であることを特徴とする請求項１又は２のいずれかに記載の本縫いのミシン。
【請求項６】
カマ土台がそれぞれオイルタンク一体式となっていることを特徴とする請求項１又は２のいずれかに記載の本縫いのミシン。
【発明の詳細な説明】
【技術分野】
【０００１】
本発明は、本縫い４本針ミシンに関する発明であり、特に厚手の縫製素材を効率よく縫製するためのミシンに関する発明であって、更には大カマを用い、また総合送り機構を有するミシンに関する。
【背景技術】
【０００２】
従来のミシンは、一本針又は二本針のミシンが多用されており、またこれに用いられるカマは通常のカマを用いたものが多用されている。【０００３】
特にこのような従来のミシンは、上下動する針棒が送り方向には固定してあり、ミシンのテーブル内部に配設した送り歯により布送りを行う所謂下送りミシンが多用されている。【０００４】
例えば二本針のミシンとしては特開平１１‐２２６２７３号（特許文献１）に示すミシンが存在する。【０００５】
また、カマ及び針の配置状態を明示した二本針のミシンのカマ装置を示す特開２００３−１１１９９１号（特許文献２）も存在する。【０００６】
更に、現在用いられているミシンでも４本針を用いたミシンは存在しているが、図７に示すように針とカマの位置がコンパクトに配設されているものである。【０００７】
この他、きわめて厚手の縫製素材に用いるミシンとして２本針を用いたミシンは特開２００４−１４７７１３号（特許文献３）に示すミシンが存在する。【０００８】
また、テント生地や帆布等の厚手の縫製素材に用いるミシンとして2本針とカマの位置関係に応じて糸絡みを防止するために分離板を用いた特開２００５−１１８４００号（特許文献４）も存在する。
【特許文献１】特開平１１‐２２６２７３号
【特許文献２】特開２００３−１１１９９１号
【特許文献３】特開２００４−１４７７１３号
【特許文献４】特開２００５−１１８４００号
【発明の開示】
【発明が解決しようとする課題】
【０００９】
以上の様に、複数本の針を用いるミシンは従来より用いられてきてはいるが、例えば厚手の裁縫素材を効率よく縫製するミシンは存在していなかった。【００１０】
即ち、特許文献１に示すミシンにおいては、二本針ミシンであり、一度に複数の縫製を可能とするが、該発明は糸調子をとり、左右の縫い目の均一化を図るものであって、厚手の縫製素材を効率的に縫製することはできないものであった。【００１１】
次に特許文献２に示すミシンにおいては、二本針のミシンの２つの針と２つのカマの位置関係及び針の配置状態を明示するものであり、二本針における縫い糸のよりの不均一による縫い不良を防止するものであり、なんら四本針の配置関係を示すものではなく、更には二本針においても布送りの効率化や厚手の縫製素材の送りの効率化などは図ることのできにくいものであった。【００１２】
更に、特許文献３に示すミシンにおいては、厚手の縫製素材の縫製に用いられるものであり、下送りと上送り足が協同で送り機構を構成するが、縫い目を重ねるために縫製素材の送り方向にカマ、針、針、カマの順に配置され、針間隔と等しいピッチで１ピッチずつ送る構造であり、一ピッチずつの縫製となってしまい効率が悪いものである。【００１３】
次に特許文献４に示すミシンにおいては同じく厚手素材の縫製に用いられるミシンであって二本の針が送り方向に配置され、二つのカマが該二本の針の結ぶ線の左右に対照的に配設した構成であって、該針間には、ばね弾性を有する分離板を有した構成を示すものである。【００１４】
従って、二つの針間における糸の絡みを防ぐものである。  
この構成は、縫い目が重なるものであり、前記と同様の欠点を有する。【００１５】
更に図７に示す、現在用いられている４本針を用いた４本のミシンの針と４つのカマの位置関係は、コンパクトにまとめることができることからきわめて有効であると共に一度に４つの縫い目を構成でき極めて効率的である反面、布を送る際には従来通り、ベッド内部に配設した下部の送り歯の可動により布送りを行う所謂下送りミシンであり、送りの効率がよくないと共に厚手の縫製素材においては送り不良を起こす可能性がある。【００１６】
即ち、上押さえは上下方向に可動するものであって、上部方向から布を押えることとなり、布の送りはベッド内の送り歯の送り可動によって、この送り歯に接触した縫製素材を送り方向に送るものである。【００１７】
更に厚手の縫製素材にあっては、縫い糸においても太目の糸を用いることにより縫いの強度を高く保つことができることから、縫製の効率を図るために標準の大きさのカマではなく、大カマを用いることの可能なミシンも必要とされる。【００１８】
以上のように、現状として、厚手の縫製素材即ちパラシュート用の布部材やテント用の布部材であるテント生地や帆布等あるいは皮革製品等の厚手の縫製素材に用いることのできるミシンであって、一度に４つの縫い目を構成でき、更に厚手素材ゆえに縫製素材の縫製時の布の送りを確実かつ容易にすると共に、効率的にかつ確実な縫い目を作ることのできる縫製のしっかりしたミシンの提供が望まれていると共に、例えば大カマの使用にも耐えうるミシンの提供が望まれていた。
【課題を解決するための手段】
【００１９】
係るために、請求項１に係る発明である縫製物の送り込み方向に送り方向と直角方向に平行に２つのカマを配置すると共に、縫製物の送り出し方向に送り方向と直角方向に平行に２つのカマを配置し、該それぞれ平行な２つのカマの内側接線よりも内側方向にそれぞれのカマに対応する針が位置すると共に、４本の針が一の針株に配設されている４本の針と４つのカマを有する本縫いのミシンであって、中押え棒を介して可動する中押えと、押え棒を介して可動する外押えと、ベッド内に設けた可動する送り歯とを有し、針が下がることに伴って中押えが下がると共に送り歯が上がり縫製物を中押えと送り歯とで圧接しつつ縫製物に縫い目を入れると共に、送り出し方向に協同で移動することによって縫製物の送りを行う本縫いのミシンを提供するものであり、係る発明によって前記課題を解決できるものである。【００２０】
更に請求項２に係る発明は、縫製物の送り出し方向に配設した平行な２つのカマ間の間隔の間の距離内に、縫製物の送り込み方向の平行な２つのカマが位置するものであると共に、
送り出し方向の２つのカマと、送り込み方向の２つのカマとの縫製物の送り方向の間隔が少なくとも縫い目の一ピッチ以上の距離を有している本縫いのミシンからなり、係る発明によっても同様に前記課題を解決できる。【００２１】
或いは、請求項３に係る発明の様に、送り出し方向への協同での移動が、縫い目の一ピッチ程度の距離である本縫いのミシンであってもよい。【００２２】
又、請求項４に係る発明の様に略２倍以上の大きさのボビンを収納可能な大カマを用いた本縫いのミシンでもよい。【００２３】
更には、請求項５に係る発明の様にカマ位置が針幅調整可能なカマ土台調整式であっても、或いは請求項６に係る発明の様にカマ土台がそれぞれオイルタンク一体式となっているものであってもよい。
【発明の効果】
【００２４】
まず、請求項1に記載の発明によれば、一度に４つの縫い目を作ることができるばかりでなく、中押えと送り歯によって縫製物を 押えつつ針を縫うことができ、更には該縫製物を送り出し方向に協同で移動することができるものである。【００２５】
従って、針をさす段階でしっかりと縫製物を押えることができるばかりでなく確実に送り方向に移動することが出来、現状として、厚手の縫製素材即ちパラシュート用の布部材やテント用の布部材であるテント生地や帆布等あるいは皮革製品等の厚手の縫製素材に用いた場合でも、しっかりとした縫い目を作るだけではなく確実なる送りを可能として縫製をより容易にかつ確実に行えるものとなる。【００２６】
更には伸縮性を有する縫製物に対してもしっかりとした押さえを行って針を挿入することができると共に縫製物部分を伸縮させず確実に送ることができるものとなる。【００２７】
更には、縫いにくい他の種類の縫製をも可能とする道ができるものとなる。【００２８】
次に請求項２に係る発明によれば前記と同様の効果のほか、それぞれの針の送り方向への縫い目即ち４種類の縫い目を形作ることができることとなり、更には、送り方向のカマ間の距離が縫い目の一ピッチ以上の距離を有していることから例えば針の移動方向にカマが存在していたとしても送りの障害とならず、確実なる送りを可能とするものである。【００２９】
又、 請求項３に係る発明によれば、送りによりピッチ目を合わせた縫いを確保できる。【００３０】
更に、請求項４に係る発明によれば、糸量が増えることから縫製の便宜が図れるばかりでなくより太い下糸を用いることができる。【００３１】
従ってより使い勝手の良い縫製を可能とすると共にしっかりした縫い目を作ることもできる。【００３２】
又、請求項５に係る発明によれば、ゲージ幅の調整が容易に行え、使い勝手の良いミシンの提供を可能とする。【００３３】
更に請求項６に係る発明によれば、カマへの給油が確実に行え、耐摩耗性に優れたミシンの提供が行えることとなる。
【発明を実施するための最良の形態】
【００３４】
図1は、本発明に係るミシンの概略を示す図である。【００３５】
ミシン本体１のベッド１０内部にはカマ土台２が計４つ設けられており、更には大カマ２１が配置されているものである。【００３６】
即ち、略２倍以上の大きさのボビンを収納可能な大カマ２１を用いることにより、一度により広い範囲の縫製を可能とするばかりでなく、より太い下糸を用いることができ、厚手な縫製をも可能とし、更にはよりしっかりした縫い目を作ることもできる。【００３７】
次に、このカマ２１の駆動はカマ土台２に設けられた下軸２２及び傘歯車２３によって行うものである。【００３８】
尚、下軸２２の駆動は一般的なミシンと同様である。【００３９】
本図において、カマ２１は２つのみ明示されるが、 更に明示されているカマ２１間の間隔を 広く取った大カマが二つ配設されていると共に、前記下軸２２と平行に更に一本下軸を有しており、かかる明示していない下軸で傘歯車を 介し駆動するものである。  
ミシンアーム部１１の側面には、４本針に応じて、糸調子１１１も４つ有しており、おのおのの糸の上糸張力の調整を可能とする。【００４０】
針棒土台３には針株３１が配設されており、針株３１には針３２が計４本配設されている。【００４１】
該針３２は、縫製素材である布などを送り込む側においては平行に２本の針３２ａを配設しているものであると共に両者の間隔はやや狭いものである。【００４２】
更に縫製素材である布などを送り出す側においては平行に２本の針３２ｂを 配設しているものであるが、針間の間隔はやや広いものであり、両者間の間隔内に前記送り込み側の針が位置するものである。【００４３】
更に中押え棒４を介して中押さえ４１を有すると共に、押え棒５を介した外押え５１とを 有する。【００４４】
本ミシンにおいて、４本針を有することから一度に４つの縫い目を構成できると共に、厚手の厚縫製素材即ちパラシュート用の布部材やテント用の布部材であるテント生地や帆布等あるいは皮革製品等の厚手の縫製素材をきっちりと縫製できると共に複数回の縫製を一度で済ますことができることとなる。【００４５】
即ち、４列の縫い目によって縫い強度を増すことができる。【００４６】
更に前記した大カマ２１を用いることによって太い縫い糸を下糸として用いることができることから縫い強度を増すことができる。【００４７】
次に、ベッド１０には本図では図示していないが、針板と送り歯を有するものである。 
本ミシンの作動状態については、まず外押え５１によって縫製すべき布などをまず押えるが、針３２が下がる場合に中押え４１も同時にあるいは同調して下がり、これに対して外押え５１が若干上がる。【００４８】
更に送り歯６１が中押え４１方向に可動し、中押え４１と送り歯６１によって縫製物を圧接し、更には針３２が縫製物を貫通するものとなる。【００４９】
次に、この状態で中押え４１と送り歯６１と針株３１に配設した針３２は、縫製物を送り出す方向に協同して移動する。【００５０】
また、やや上がった外押え５１も必要に応じて協同して移動してもよい。【００５１】
更に、移動によって縫製した布を送ることとなるが移動開始から完了に向けて徐々に針３２が上がることとなり、この針３２が上がることと同時にあるいは同調して中押え４１も上がる。【００５２】
併せて、送り歯６１も縫製物即ち例えば布などから離れる方向に可動する。【００５３】
これに反して外押え５１は下がることとなり縫製物を押えることとなる。【００５４】
従って、布などがずれることがなくなる。【００５５】
尚、外押え５１の押え部分は、針板６に対応して配設されているものである。【００５６】
この様に、協同して移動することにより、針３２が下がり縫製する時点において中押え４１と送り歯６１でしっかりと布を押えた状態として縫製を行えると共に、 この縫製段階で布を送り方向に送ることができ、特にきわめて厚手の縫製物であっても確実なる送りを可能とするばかりでなく縫製もきっちりと行うことができる。【００５７】
更に、外押え５１によって、送られた布などをその位置でしっかりと位置規制して抑えることができ、次の縫製をきっちりと行うための準備が完了するものである。【００５８】
また、針株３１には４本の針３２が配設しているものであり、この４本の針３２ごと協同して移動できるものである。【００５９】
尚、中押え４１は、底面が自由押え構造であり、縫製物をきっちりと押えることができる。【００６０】
図２は、ベッド１０の角板１２をはずした状態で大カマ２１及び針板６等を明示させた状態を示す図である。【００６１】
本図に示すように布の送り方向の布の送り込み側においては大カマ２１ａが送り方向と直角方向に並列に２つ設けられていると共にその内側接線よりも内側に二本の針３２ａが並列に配設されている。【００６２】
更にベッド１０側の該針先方向には該針先が挿入可能な孔を有する送り歯６１ａが、針板６の開口部に配設されている。【００６３】
次に布の送り方向の布の送り出し側においても大カマ２１ｂが送り出し方向と直角方向に並列に２つ設けられていると共にその内側接線よりも内側に二本の針３２ｂが並列に配設されている。【００６４】
それぞれの大カマ２１ｂは送り込み側の大カマ２１ａよりも送り出し方向と直角方向外側位置に配設されていると共に同様に二本の針３２ｂも送り出し方向と直角方向外側位置に配設されている。【００６５】
更にこの送り出し側の針３２ｂに対応するベッド１０側の該針先方向にも針先が挿入可能な孔を有する送り歯６１ｂが位置している。【００６６】
更に、該ベッド１０に設けられているカマ土台２は、この様に計４つ設けられているものであるが、この場合カマ２１ひとつに対してオイルタンク一体式として構成されているものであることからカマへの給油が確実に行え、耐摩耗性に優れるものとなる
また、明示はしていないが、各々のカマ位置は針幅調整可能なカマ土台調整式で、これによりゲージ幅の調整が行えるものである。【００６７】
図3は、針株３１に配設した針４本と、外押え５１及び中押え４１、縫製物の関係を示す図である。【００６８】
本図において、針３２が上がった状態を示す斜視図であり、外押え５１によって縫製物が徐々に押えられていると共に、４本の針３２と中押え４１は徐々に上部に上がるものであり、この状態を示す図である。【００６９】
この場合、外押え５１はベッド１０の針板６によって縫製物を押えた状態となる。【００７０】
尚、送り歯６１は針板６の外面よりもベッド１０内部に入った状態である。【００７１】
従って、針が上がった状態では送り歯６１は縫製物から離れることにより送りは制御されている。【００７２】
次に図４は、図３の状態から、徐々に中押え４１と針が下がってくると共に外押さえが上がった状態を示す図である。【００７３】
即ち、送り歯６１と中押え４１によって縫製物を圧接した上で、針３２が中押え４１の孔を貫通すると共に縫製物を貫通し、更に送り歯６１の孔をも貫通した状態を示す図である。【００７４】
この状態において、或いはこの状態になりつつある段階において、あるいはこの状態から次の状態への移行に伴って、更に、これらは全て縫製物の送り出し方向に協同して移動しているものである。【００７５】
従って縫製に伴って縫製物は送り出し方向に移動することとなる。【００７６】
即ち、送り歯６１と中押え４１と針３２は、協同して縫い目を作成する段階において送り出し方向に協同して移動するものであり、縫い目作成段階においては縫製物が送り歯６１と中押え４１によって圧接していることから、もとより縫製物が移動することとなる。【００７７】
この移動の幅においては例えば縫い目の一ピッチ程度の幅の移動が最適であるが、この幅に限定されるものではなく、縫製方法或いは縫製物などに応じて適宜定めればよい。【００７８】
従って、縫製と同時に縫製物は送り出し方向に移動することとなる。【００７９】
本図の次の工程は、針が上がる状態であり図３に示す状態に移行するものである。【００８０】
なお、必要に応じて、この段階で針株に配設した針４本と中押え、送り歯がそれぞれ協同して移動するものであってもよい。【００８１】
尚、外押え５１は協同での移動後に縫製物を押えるものであり、次の縫製をその位置で待つことができる。【００８２】
又、例えば外押え５１は、この上がった状態で移動するものであってもよい。【００８３】
尚、本図においては、送りつつある状態を示していることから送り歯などの位置は送り出し方向に進んでいる状態を示している。【００８４】
次に図５は、図４で縫い目を作った後に中押え４１と針３２が上昇し、次の縫い目を作成するために上昇していると共に外押え５１によって縫製物を押えている状態を示す図である。【００８５】
したがって、縫うべき箇所に縫製物を位置させておくことができると共に、この時点において中押え４１と針３２と送り歯６１を 送り込み側に移動、即ち縫い目作成の開始段階の位置に移動することができる。【００８６】
本図では戻る過程の段階における図を示す。【００８７】
従って、送り歯は完全に戻った状態ではなく、戻りつつある状態を示している。  
この段階において、送り歯６１は針板６の表面よりも下に位置し下がった状態となる。【００８８】
従って、縫製物には接することなく当初位置に戻るものである。【００８９】
尚、戻りの幅は縫い目の一ピッチが最も適当であるが、前述の通りこの幅に限定されるものではない。【００９０】
又、外押え５１に関しては縫製物を押えているが針板６１に押え部材を有するものであって両者で縫製物をきっちりと押えるものであってもよい。【００９１】
以上のように、協同して縫製物を押えながら縫い目を作ることができることから、厚手のもののみならず縫いにくいものや例えば伸縮性の高いものなどもきっちり縫うことができると共に、縫製物は中押え４１と針３２と送り歯６１及び外押え５１を中心として協同で移動することから縫製物の縫製段階での送りも確実に行うことができることとなる。【００９２】
図６は、針棒３の位置と針３２の位置及び大カマ２１の位置関係を示す図である。【００９３】
縫製物の送り方向の送り込み方向に位置する大カマ２１ａは、送り方向と直角方向に平行に２つの大カマ２１ａを配置するものであり、針３２ａはその内側接線よりも内側方向に位置するように配設されているものである。【００９４】
更に、縫製物の送り方向の送り出し方向に位置する大カマ２１ｂも、送り方向と直角方向に平行に２つの大カマ２１ｂを配置するものであり、針３２ｂはその内側接線よりも内側方向に位置するように配設されているものである。【００９５】
この様に配置することによって、定位置にある大カマ２１に対して、協同して移動する針３２は縫製物の送り込み方向から送り出し方向に向けて移動するものであり、該移動に際して針３２の移動路を確保することができる。【００９６】
以上のように、少なくとも、縫製物の送り込み方向に送り方向と直角方向に平行に２つのカマ２１ａを配置し、縫製物の送り出し方向に送り方向と直角方向に平行に２つのカマ２１ｂを配置し、該それぞれ平行な２つのカマ２１の内側接線よりも内側方向にそれぞれのカマに対応する針３２が位置するものであればよいものである。【００９７】
更に、縫製物の送り出し方向に配設した平行な２つのカマ２１ｂ間の間隔の間の距離内に、縫製物の送り込み方向の平行な２つのカマ２１ａが位置するものであれば送り方向に４種類の縫い目の線を 形作ることができることとなる。【００９８】
また、針の送りをより安全確実に確保するためには、送り出し方向の２つのカマ２１ｂと、送り込み方向の２つのカマ２１ａとの縫製物の送り方向の間隔が少なくとも縫い目の一ピッチ以上の距離を有しているものであれば例えば針の移動方向にカマが存在していたとしても送りのピッチ以上の間隔を有することとなることから送りの障害となることはない。【００９９】
尚、図中における矢印は縫製物の送り出し方向を示す。【０１００】
図７は、従来用いられてきた４本針の配置例を示す図であり、針棒の位置に対して対照的に４方向に針とカマを位置させると共に、送り込み側は間隔を狭く、送り出し側は間隔を広く取った従来例を示す図である。【０１０１】
尚、図中における矢印は縫製物の送り出し方向を 示す。【０１０２】
この様に構成すると針棒を中心軸としてバランスよくコンパクトにまとめられるが、反面針は送り方向へ移動することを予定しておらず、上下可動のみするものである。【０１０３】
即ち針の送り方向においてカマが存在することとなり、ほとんど送り方向への針の移動はできないものとなる。【０１０４】
以上のように、本発明に係るミシンは、特に厚手の縫製物や伸縮性のある縫いにくい縫製物に対して確実に縫い目を作り、更には効率よく縫製するには最適な構造である。
【図面の簡単な説明】
【０１０５】
【図１】本発明に係る本縫いのミシンの一実施例を示す図
【図２】ベッドの角板をはずして大カマ及び針板を明示させた状態を示す図
【図３】針株に配設した針４本と、外押さえ及び中押え、縫製物の関係を示す図
【図４】針株に配設した針４本と、外押さえ及び中押え、縫製物の関係を示す図
【図５】針株に配設した針４本と、外押さえ及び中押え、縫製物の関係を示す図
【図６】針棒の位置と針の位置及び大カマの位置関係を示す図
【図７】従来用いられてきた４本針の配置例を示す図
【符号の説明】
【０１０６】
１        ミシン本体
１０      ベッド
１１      アーム部
１１１    糸調子
１２      角板
２        カマ土台
２１      カマ
２１ａ    送り込み側カマ
２１ｂ    送り出し側カマ
３１      針株
３２      針
３２ａ    送り込み側針
３２ｂ    送り出し側針
４１      中押え
５１      外押え
６        針板
６１      送り歯
６１ａ    送り込み側送り歯
６１ｂ    送り出し側送り歯
【図１】
2006123401.tif 000003
【図２】
2006123401.tif 000004
【図３】
2006123401.tif 000005
【図４】
2006123401.tif 000006
【図５】
2006123401.tif 000007
【図６】
2006123401.tif 000008
【図７】
2006123401.tif 000009
【国際調査報告】
2006123401.tif 000010
2006123401.tif 000011
2006123401.tif 000012
2006123401.tif 000013